(57)【要約】【課題】  内索と外管からなる操作ワイヤの外径を細くしようとするとき、外管に連なる端末部を小さくすることが難しい。また、屈曲の大きい操作ワイヤでは内索と外管との隙間を大きくとる必要があり、そのため、内索の外管の端部から突出した部分の保持が不安定になる。【解決手段】  金属管からなる外管と鋼索からなる内索とを有する操作ワイヤにおいて、前記外管の一端に外方へ拡開するフランジを設け、このフランジに外管の端部と内索との間の隙間を閉じるシール部材を着脱可能に取り付けるとともに、そのシール部材をフランジへ取り付けるための基部と基部から軸方向へ突出して設けられる比較的細い軸部とで構成し、前記基部の端面と支持部の外面とによって支承部材へ着脱可能に係合させたものである。【選択図】図３
2005220941.tif 000002
【特許請求の範囲】
【請求項１】
金属管からなる外管と鋼索からなる内索とを有する操作ワイヤにおいて、前記外管の一端に外方へ拡開するフランジを設け、このフランジに外管の端部と内索との間の隙間を閉じるシール部材を着脱可能に取り付けるとともに、そのシール部材を前記フランジへ取り付けるための基部と基部から軸方向へ突出して設けられる比較的細い軸部とで構成し、前記基部の端面と支持部の外面とによって支承部材へ着脱可能に係合させてなる外管端末構造。
【請求項２】
請求項１において、前記軸部には鋼索を挿通するための摺動孔を設けるとともに、その摺動孔にラビリンス溝を設けてなる外管端末構造。
【発明の詳細な説明】
【技術分野】
【０００１】
本発明は、自動車や自動二輪車、あるいは農業機械において、運転者が手元から離れた位置にある部材を操作する遠隔操作部材として慣用されているところの操作ワイヤの改良に関するものである。
【背景技術】
【０００２】
操作ワイヤは、一般に、可撓性のある鋼製の内索と、その外面を保護するため弦巻形の可撓管とで構成されている（特許文献１）。図４で示すように、外管８０の端部には金属あるいはエンジニアリングプラスチック製の端末子８１、８２が取り付けられ、それらを支承部材７０に設けた支持孔へ嵌合させ支承させてある。また、前記内索９０の両端には、太鼓形あるいは球形の端末金具９１、９２が取り付けられている。
【０００３】
近年、車両用の操作ワイヤは用途の拡大に伴って、外管８０の外径を一層小径にして前記端末子や端末金具を含む操作ワイヤの外管端末構造をコンパクトにまとめることが求められている。また、外管８０の形状は急角度に曲げることが求められている。
【０００４】
しかしながら、いずれの場合にしても、内索９０の材質を改良して外径を細くして対応せざるを得ず、屈曲部における外管８０と内索９０とが接触する部分の面圧が過度に高くなって、外管８０や内索９０を損傷したり、内索９０の操作が重くなったりするなど不具合を生じた。また、外管８０の外径が細くなると、外管８０の端部に設けられる端末子８１と、その端末子８１を支持する支承部材７０との支持面が小さくなって安定な支持が困難になる不具合があった。
【０００５】
さらに従来は、外管８０と内索９０との隙間へ浸水するのを防止するべく、防水ブーツ(図示してない)を設けているので、外管８０の外径を細くしても操作ワイヤの支持構造がコンパクトにならない不具合があった。また、外管８０を支承する支承部材７０の材質が合成樹脂である場合のように比較的軟質である場合には、支承部材７０が外管８０の端部によって長い間に傷付けられ、破損する原因となることがあった。
【特許文献１】特開２００１−５６０１５号公報
【発明の開示】
【発明が解決しようとする課題】
【０００６】
解決しようとする課題は操作ワイヤと、その支持構造を小型化する点にあり、その際の問題点は、操作ワイヤの外管と内索との間の隙間を閉じるシール部材や、外管を支承する支承部材を小型化することが容易でない点にある。
【課題を解決するための手段】
【０００７】
本発明は、金属管からなる外管と鋼索からなる内索とを有する操作ワイヤにおいて、前記外管の一端に外方へ拡開するフランジを設け、このフランジに外管の端部と内索との間の隙間を閉じるシール部材を着脱可能に取り付けるとともに、そのシール部材を前記フランジへ取り付けるための基部と基部から軸方向へ突出して設けられる比較的細い軸部とで構成し、前記基部の端面と支持部の外面とによって支承部材に対して着脱可能に係合させることを最も主要な特徴とする。
【発明の効果】
【０００８】
本発明に係る操作ワイヤの外管端末構造は、シール部材を外管の一端に設けたフランジによって支持し、そのシール部材の軸部によって支承部材に支持させたから、外管が小径であってもシール部材によって前記支承部材との連結が容易であり、かつ、連結構造が簡単である。また、外管を支承部材へ連結する作用をシール部材によって行わせるので、支承部材が合成樹脂のような比較的軟質の材料で作られていても金属製の外管や内索によって傷付けられることがない。さらに、シール部材は内索とフランジとの隙間を閉じるので、外管の中へ雨水や掃除用の水などが入るのを防止できるなどの利点がある。
【発明を実施するための最良の形態】
【０００９】
操作ワイヤの外管端末構造を簡単にして外形を小型にしようという目的を、部品点数の大幅な増加を伴うことなく実現した。
【実施例１】
【００１０】
本発明装置を図示した実施例によって説明する。図１は操作ワイヤ１０の外観図、図２はその軸線に沿って破断した縦断面図である。図中、操作ワイヤ１０は多数の鋼線を捩って作られた鋼索からなる内索１１と、その外面を保持するための鋼管製の外管１２、および外管１２の内面に緩く嵌合された合成樹脂製のライナ−１４とを有する。１１ａ、１１ｂは前記内索１１の端部に固着された端末金具である。１３と１５は前記外管１２の一端と他端とに取り付けられる端末子であり、それぞれ所定の支承部材に取り付けられている。なお、２０は前記端末子１５のための支承部材である。
【００１１】
ここで、前記端末子１５は図３で示すように、大径の基部１５ａと比較的小径の軸部１５ｂとからなる２個の円筒形の部材が、基部１５ａの端部に形成される段部１５ｅを介して軸方向に連続して一体的に形成されている。すなわち、基部１５ａは端末子１５を外管１２へ固定するための手段を備えており、軸部１５ｂは内索１１を保持するとともに、外管１２と内索１１との間に介在するクリアランス１６を密閉し、雨水などの進入を阻止するもので、その機能のためゴム状の弾性体からなっている。
【００１２】
前記大径の基部１５ａには、前記外管１２へ嵌合するための軸孔１５ｃが設けられている。軸孔１５ｃの内部にはやや大径の逃げ孔１５ｄが設けられており、その逃げ孔１５ｄの内径は前記フランジ１２ａの外径より僅かに大きくなっている。よって、端末子１５は前記軸孔１５ｃを弾性的に押し拡げることによって、前記フランジ１２ａを逃げ孔１５ｄに嵌着させることができる。
【００１３】
軸部１５ｂは外径が前記支承部材２０に設けた支持孔２０ａと略同大に作られ、その中心部には軸線上に位置して、前記逃げ孔１５ｄに通じる摺動孔１５ｆが設けられている。その摺動孔１５ｆは内索１１の外径より僅かに小径に作られており、内索１１を摺動可能に支持している。
なお、前記摺動孔１５ｆには軸方向中央部に、ラビリンス溝１５ｈを構成するやゝ大径の逃げ部が設けてある。よって、この端末子１５によって前記内索１１と外管１２との間のクリアランス１６への浸水が防止される。
【００１４】
前記段部１５ｅは、基部１５ａの外面と軸部１５ｂの外面との間に形成された軸線と略直角方向の面をなしており、外管１２と支承部材２０との直接の接触を避けて支承部材２０の損傷を回避している。また、弾性により振動を受けても音を発することはない。
【００１５】
この実施例は以上のように構成されているので、組み付けに際しては端末子１５を支承部材２０の支持孔２０ａに差し込むだけで足り、ブーツのようなシール部材を必要としないので、操作ワイヤ１０の組み付けが容易である。また、内索１１と外管１２との間のクリアランス１６が端末子１５によって閉じられ、端末子１５がシール部材として作用するので専用のシール部材を設ける必要がなく構造が簡単になる。さらに、操作ワイヤの途中に急な曲がりがある場合にも、軸部１５ｂによって内索１１の位置を安定に保持できる。
【産業上の利用可能性】
【００１６】
この発明に係る操作ワイヤは車両用の用途に限られず、医療機器や事務機の遠隔操作を必要とする箇所に使用できる。なお、上記実施例において内索１１に撚り線を用いた例を示したが、この例は発明の構成上必須ではなく、これに代えて例えばステンレス線の単線を用いてもよい。
また、ライナーを省略して外管をさらに細くすることも可能である。
【図面の簡単な説明】
【００１７】
【図１】本願発明の一実施方法を示す操作ワイヤの外観図である。
【図２】図１の縦断面図である。
【図３】図２中の要部を拡大して示す縦断面図である。
【図４】従来の操作ワイヤを示す図１相当の外観図である。
【符号の説明】
【００１８】
１０      操作ワイヤ
１１      内索
１１ａ    端末金具
１１ｂ    端末金具
１２      外管
１２ａ    フランジ
１３      端末子
１４      ライナー
１５      端末子
１５ａ    基部
１５ｂ    軸部
１５ｃ    軸孔
１５ｄ    逃げ孔
１５ｅ    段部
１５ｆ    摺動孔
１５ｈ    ラビリンス溝（逃げ部）
１６      クリアランス
２０      支承部材
２０ａ    支持孔
【図１】
2005220941.tif 000003
【図２】
2005220941.tif 000004
【図３】
2005220941.tif 000005
【図４】
2005220941.tif 000006
【手続補正書】
【提出日】平成16年5月18日(2004.5.18)
【手続補正１】
【補正対象書類名】明細書
【補正対象項目名】０００４
【補正方法】変更
【補正の内容】
【０００４】
しかしながら、いずれの場合にしても、内索９０の材質を改良して外径を細くして対応せざるを得ず、屈曲部における外管８０と内索９０とが接触する部分の面圧が過度に高くなって、内索９０の操作が重くなったりすることがあった。また、外管８０の外径が細くなると、外管８０の端部に設けられる端末子８１と、その端末子８１を支持する支承部材７０との支持面が小さくなってしまうことがあった。
【手続補正２】
【補正対象書類名】明細書
【補正対象項目名】０００５
【補正方法】変更
【補正の内容】
【０００５】
さらに従来は、外管８０と内索９０との隙間へ浸水するのを防止するべく、防水ブーツ(図示してない)を設けているので、外管８０の外径を細くしても操作ワイヤの支持構造をコンパクトにすることが困難であった。
【特許文献１】特開２００１−５６０１５号公報
【手続補正３】
【補正対象書類名】明細書
【補正対象項目名】０００６
【補正方法】変更
【補正の内容】
【０００６】
解決しようとする課題は操作ワイヤと、その支持構造を小型化する際に、操作ワイヤの外管と内索との間の隙間を閉じるシール部材や、外管を支承する支承部材を小型化することにある。